(57)【要約】【課題】遊戯機、遊戯媒体貸出機、遊戯媒体計数機等の娯楽・遊戯関連の装置における遊戯媒体通路内を容易に清掃することのできる清掃具及び清掃方法を提供する。【解決手段】磁性体製の基材２の表面を立毛生地３で被覆してなるコイン通路用の清掃具１である。このような清掃具１を、コイン通路に走行させることにより、通路面に在るコインＡから剥がれ落ちたメッキ片、金属片を含む塵埃を捕集することができる。このように、簡単にコインＡの通路を清掃することができるので、既存の遊戯施設に取り入れやすい。【選択図】図２
2008279098.tif 000002
【特許請求の範囲】
【請求項１】
磁性体を含む基材の表面を、保護層で被覆してなることを特徴とする遊戯媒体通路用の清掃具。
【請求項２】
前記基材は、強磁性体を含むものであることを特徴とする請求項１に記載の遊戯媒体通路用の清掃具。
【請求項３】
前記保護層は、繊維層であることを特徴とする請求項１又は２に記載の遊戯媒体通路用の清掃具。
【請求項４】
前記繊維層は、立毛材であることを特徴とする請求項３に記載の遊戯媒体通路用の清掃具。
【請求項５】
前記立毛材は、起毛加工を施したフェルトであることを特徴とする請求項４に記載の遊戯媒体通路用の清掃具。
【請求項６】
前記保護層は、摩擦により帯電する性質を有することを特徴とする請求項１〜５のいずれかに記載の遊戯媒体通路用の清掃具。
【請求項７】
前記保護層に洗浄液が含浸されていることを特徴とする請求項１〜６のいずれかに記載の遊戯媒体通路用の清掃具。
【請求項８】
前記基材は、コイン形状であることを特徴とする請求項１〜７のいずれかに記載の遊戯媒体通路用の清掃具。
【請求項９】
前記基材は、パチンコ球形状であることを特徴とする請求項１〜７のいずれかに記載の遊戯媒体通路用の清掃具。
【請求項１０】
前記基材の表面が凹凸を有することを特徴とする請求項１〜９のいずれかに記載の遊戯媒体通路用の清掃具。
【請求項１１】
遊戯媒体通路に、遊戯媒体と略同形状である強磁性体製の基材の表面に保護層を被覆してなる清掃具を走行させることにより、通路上の塵埃を捕集して遊戯媒体通路を清掃する方法。
【発明の詳細な説明】
【技術分野】
【０００１】
本発明は、スロットマシンやパチンコ機等の遊戯機、メダル、コイン又は玉等の遊戯媒体の貸出機、遊戯媒体の計数機等の娯楽・遊戯関連の装置において、遊戯媒体通路を清掃するための清掃具及び清掃方法に関する。
【背景技術】
【０００２】
スロットマシンやパチンコ機等の遊戯機や、コイン、メダル、パチンコ玉等の遊戯媒体を貸し出すための遊戯媒体貸出機や、遊戯媒体の枚数を数えるための遊戯媒体計数機等の娯楽・遊戯関連の装置は、遊戯媒体を搬送するための通路（遊戯媒体通路）を備えているが、この通路上には、遊戯媒体から剥がれ落ちたメッキ片や金属片などの塵埃が落ちており、定期的に清掃する必要がある。
【０００３】
例えば、特許文献１には、パチンコ玉揚送装置の搬送ベルトを清掃するためのベルト清掃装置が開示されている。特許文献１記載のベルト清掃装置は、回転する揚送ベルトの少なくとも揚送面を清掃するためのブラシ体と、当該ブラシ体をパチンコ玉揚送装置に着脱自在に取り付けるための取付構造と、を含み、揚送ベルトの回転により発生した塵埃を、接続した吸引装置によって吸引可能な構造に構成されている。
【特許文献１】特開２００３−９２３号公報
【発明の開示】
【発明が解決しようとする課題】
【０００４】
しかしながら、特許文献１記載のベルト清掃装置は、既存の遊戯機に後付けするのが困難である。また、搬送ベルト以外の遊戯媒体の通路については、清掃することができない。
【０００５】
そこで、本発明は、遊戯機等の娯楽・遊戯関連の装置における遊戯媒体通路内を容易に清掃することのできる清掃具及び清掃方法の提供を目的とする。
【課題を解決するための手段】
【０００６】
上記目的を達成するため、本発明は、磁性体を含む基材の表面を、保護層で被覆してなることを特徴とする遊戯媒体通路用の清掃具である。このような清掃具を、遊技機、遊戯媒体貸出機、遊戯媒体計数機等の娯楽・遊戯関連の装置の遊戯媒体通路中に走行させることにより、通路面に落ちている遊戯媒体から剥がれ落ちたメッキ片、金属片を含む塵や埃を、保護層に付着させて捕集することができる。なお、遊戯媒体通路とは、遊技機等の装置の内外を問わず、遊戯媒体が通過する通り道のことである。
【０００７】
また、基材を磁性体から構成することにより、他の素材のものに比べて多くの塵埃を捕集することができる。その理由は明らかではないが、磁力及び／又は静電気が関係するものと考えられる。さらにまた、基材は強磁性体を含むものとすればより好ましく、格段に多くの塵埃を捕集することができる。
【０００８】
基材は、磁性体単体であってもよいし、または磁性体と樹脂層等の他の層との積層物や、樹脂等の他の素材に磁性体材料のフィラーを混入したものであってよい。磁性体としては、真ちゅう、洋白等の弱磁性体を使用できるが、上述のように、鉄、ニッケル、コバルト等の遷移金属またはこれらを含む合金（例えばステンレス鋼）のような強磁性体が好ましい。また、鉄の中でも、ＳＵＳ４３０が特に好ましい。多くの塵埃を捕集することができる。また、基材として鉄等の適度な自重があるものであれば、清掃具表面を遊戯媒体通路面に接触させやすいので好ましい。
【０００９】
保護層は、その表面に塵埃を付着させ、また、基材と通路面との衝突をやわらげることができるものであればよく、例えば、繊維層、発泡体層とすることができる。なお、これらに限定されるものではない。
【００１０】
繊維層とは、多くの繊維からなる層である。繊維層は、フェルト地、編織地又は不織布等の生地であってもよいし、繊維を直接基材に付着させたものであってもよい。
【００１１】
また、繊維層は、平坦なものであってもよいが、基材の表面から外側へ向けて繊維が立ち上がった状態の立毛材が好ましい。繊維層を立毛材とすることにより、塵埃を毛表面だけでなく毛間に取り込んで捕集することができる。また、刷毛（はけ）の効果も期待できる。
【００１２】
立毛材としては、例えば、立毛生地を基材表面に被覆してもよいし、繊維を直接基材に立毛状態となるように付着させてもよい。立毛材を構成する繊維は、極細のものであってもよいし、歯ブラシ等のブラシの毛部を構成する毛のように太く硬度のあるものでもよい。
【００１３】
立毛生地としては、フェルト地、編織地又は不織布等の生地に起毛加工（生地表面の繊維を掻き起こす等して毛羽立たせる加工）を施した起毛生地、接着や静電処理等によって基層に短繊維を植毛してなる植毛生地、パイル生地などが例示されるが、起毛加工を施したフェルトが好ましい。
【００１４】
また、保護層は、摩擦により帯電する性質を有する生地が好ましい。遊戯媒体の通路面との摩擦により、保護層表面が帯電して静電気を発生し、塵埃を吸着するので、塵埃の捕集率を高めることができる。特に、磁性体の捕集率が向上する。また、この静電気は、立毛材の凹凸面や、基材の自重によって、生地と通路面との摩擦が高まり、静電気量を高めることができる。
【００１５】
保護層に帯電性をもたせるには、帯電性を有する材料により保護層を形成してもよいし、保護層に帯電促進剤を付着又は混入させてもよい。具体的には、繊維層に帯電性をもたせるには、帯電性を有する繊維により繊維層を形成してもよいし、繊維層を構成する繊維に帯電促進剤を付着させてもよい。帯電性を有する繊維の素材としては、合成繊維が好ましく、より詳しくはポリエチレン、ポリプロピレン、ポリブチレン、エチレン−ポリプロピレン共重合体、ポリスチレン、ポリブチレンテレフタレート、ポリテトラフルオロエチレン等のポリオレフィン系繊維、ポリエステル、ポリカーボネート、ナイロン、ポリ塩化ビニル、ポリ塩化ビニリデン、フッ素化ポリオレフィン等の合成繊維が挙げられる。また、帯電促進剤の素材としては、ポリエチレン、ポリプロピレン、ポリブチレン、エチレン−ポリプロピレン共重合体、ポリスチレン、ポリブチレンテレフタレート、ポリテトラフルオロエチレン等のポリオレフィン系の微粒子、ポリエステル、ポリカーボネート、ナイロン、ポリ塩化ビニル、ポリ塩化ビニリデン、フッ素化ポリオレフィン等の微粒子が挙げられる。また、コロナ放電などの放電処理によって立毛生地を帯電させてもよい。
【００１６】
また、保護層に洗浄液や、埃の捕集率を上げる薬剤を含浸させてもよい。洗浄液の組成としては、一般的に油脂等の汚れを落とす界面活性剤等の成分を有する液体であればよい。洗浄液中にコインを含浸させるなどして、立毛生地に洗浄液を含ませておけば、遊戯媒体の通路面の取れにくい塵埃を落とすことができる。
【００１７】
基材は、遊戯媒体と同等の大きさ、より好ましくは略同形状とすることができる。このような形状とすることにより、通路に詰まったり、通路から落下したりすることなく、遊戯媒体の走行する箇所全てをスムーズに走行させることができる。したがって、スロットマシンの場合は、コイン（メダル）形状とすればよく、パチンコの場合は、パチンコ球の形状とすればよい。既存の娯楽・遊戯関連装置にそのまま適用することができる。
【００１８】
また、基材の表面に凹凸を形成することができる。凹凸により、基材面への保護層の食らいつきを高めることができる。
【発明の効果】
【００１９】
以上の説明から明らかな通り、磁性体製の基材表面を保護層で被覆した清掃具であって、清掃具を走行させるだけで、通路面にある遊戯媒体から剥がれ落ちたメッキ片や金属片などの塵埃を捕集することができる。このように、簡単に遊戯媒体の通路を清掃することができるので、既存の遊戯施設に取り入れやすい。
【発明を実施するための最良の形態】
【００２０】
以下、本発明の実施形態を図面に基づいて説明する。図１は本実施形態の清掃具の斜視図、図２は本実施形態の清掃具の中央断面図、図３は本実施形態の清掃具の使用方法を示す図である。
【００２１】
本清掃具１は、図１及び図２に示すように、基材２と、その表面を覆う保護層としての立毛生地３とから構成される。
【００２２】
基材２は、コイン形状、すなわち円板状に形成された強磁性体であり、素材としてはＳＵＳ４３０のステンレスが用いられるが、これに限定されるものではなく、強磁性体材料であればニッケル、コバルト等の他の材料を用いることができる。また、基材は、直径略２４．８ｍｍ、厚み略１．４ｍｍとされるが、これに限定されるものではなく、遊戯機に使用される遊戯媒体であるコインと略同一形状であればよい。また、基材２の表面には、ナシ地などにより細かな凹凸（不図示）が形成される。この凹凸により、立毛生地の食らいつきが強くなる。
【００２３】
立毛生地３としては、起毛加工が施されたフェルトが用いられる。立毛生地３の繊維素材として帯電性のある合成繊維を用いているため、通路面との摩擦による帯電する性質を有する。また、生地全体としての厚みは０．１ｍｍのものが好適に用いられるがこれに限定されるものではなく、厚み０．０５〜３ｍｍのものを用いることができる。この立毛生地３を電着塗装により基材２の表面に密着するように被覆させる。
【００２４】
上記構成の清掃具１は、スロットマシンやパチンコ機等の遊戯機４や、コイン、メダル、パチンコ玉等の遊戯媒体Ａを貸し出すための遊戯媒体貸出機５や、遊戯媒体Ａの枚数を数えるための遊戯媒体計数機１９等の遊戯媒体Ａの通路を走行させることにより、通路面にある遊戯媒体Ａから剥がれ落ちたメッキ片や金属片などを含む塵埃を、起毛間の隙間に取り込んだり、毛に付着させたりすることにより捕集することができる。
【００２５】
例えば、図３に示すように、遊戯施設では、複数台の遊技機（スロットマシン）４と、各スロットマシン４の間に設けられ、コインＡを貸出すためのコイン貸出機５とが配置された遊技島６が複数列設置されている。
【００２６】
スロットマシン４は、一般的に、モータ等の駆動手段により回動する３つのリール７を有する表示部８と、各リール７の回転をスタートさせるスタートレバー９と、各リール７の回転を停止させる停止スイッチ１０と、コイン投入口１１と、コイン払出し口１２等から構成されている。遊戯者は、まず、コイン貸出機５の紙幣投入口１３から紙幣を入れ、投入金額分のコインＡを受け取る。そして、コイン投入口１１からコインＡを投入し、スタートレバー９を操作してリール７を回転させ、各停止スイッチ１０を押して各リール７を停止させる。各リール７の表示の組み合わせが入選すると、コイン払出し口１２よりコインＡが払いだされる。
【００２７】
このようなスロットマシン４を備えた遊戯島６において、コインＡの補給は自動システム化されており、例えば、遊戯島６内の回収タンク１４内に収容されたコインＡを揚送手段１５によって上方のベルトコンベヤ１６に揚送し、コイン払出口１２又はコイン貸出機５を通って受け皿１７に払い出され、コイン投入口１１から下方のベルトコンベヤ１８に落下し、回収タンク１４に回収されるコインＡの循環システムを形成するコイン通路が形成されている。また、遊戯島６の端等にコイン計数機１９が設置されている場合には、このコイン計数機１９から回収タンク１４に至る経路もコイン通路に含まれる。このようなコイン通路に、通常の遊戯用のコインＡと同様にして清掃具１を通過させることにより、コインＡが通過する全てのコイン通路の路面を清掃することができる。なお、遊戯施設の構成は、上記に限定されるものではないことは勿論である。
【００２８】
以上の構成によれば、コイン通路に本清掃具１を通常のコインＡと同様に走行させるだけでよいので、既存の遊戯施設に簡単に導入することができる。また、コイン通路に清掃具１のみを走行させてもよいし、通常のコインＡと一緒に走行させてもよい。営業時にも清掃具１を走行させて、清掃することができる。
【図面の簡単な説明】
【００２９】
【図１】本実施形態の清掃具の斜視図
【図２】本実施形態の清掃具の中央断面図
【図３】本実施形態の清掃具の使用方法を示す図
【符号の説明】
【００３０】
１    清掃具
２    基材
３    立毛生地
４    遊技機（スロットマシン）
５    遊戯媒体貸出機（コイン貸出機）
６    遊戯島
１９  遊戯媒体計数機（コイン計数機）
Ａ    遊戯媒体（コイン）
【図１】
2008279098.tif 000003
【図２】
2008279098.tif 000004
【図３】
2008279098.tif 000005